(57)【要約】【課題】窓ガラス等のそばに設置されても、外界の風景に影響されることなく、表示パタンの視認性を向上させる。【解決手段】透過散乱型の調光領域を備えた調光装置（１０）と、（ａ）非表示状態において略透明と視認され、（ｂ）表示状態において所定の表示部位のみ視認性が向上する表示装置（２０）とを備える。調光装置（１０）における調光領域と表示装置（２０）における表示部位とが、観察者の視線に対して重畳する位置関係に配置されている。【選択図】図１
2008122590.tif 000002
【特許請求の範囲】
【請求項１】
調光領域を備えた透過散乱型の調光装置と、（ａ）非表示状態において略透明と視認され、（ｂ）表示状態において所定の表示部位のみ視認性が向上する表示装置とを備え、
前記調光装置における調光領域と前記表示装置における表示部位とが、観察者の視線に対して重畳する位置関係に配置されていることを特徴とする情報表示装置。
【請求項２】
前記表示装置は、正面視で表示部位と非表示部位とを有し、（ａ）電圧非印加時に前記表示部位および非表示部位がともに略透明な状態を呈し、（ｂ）電圧印加時に前記表示部位が発光する請求項１に記載の情報表示装置。
【請求項３】
前記調光装置は、液晶と高分子との複合体によって構成された素子を備えている請求項１または２に記載の情報表示装置。
【発明の詳細な説明】
【技術分野】
【０００１】
本発明は、情報表示装置に関し、特に自動車等の移動体の搭乗室に好適な情報表示装置に関する。
【背景技術】
【０００２】
従来、自動車内には、搭乗者に種々の情報を知らせるための表示装置が設置されている。例えば、インストルメントパネルには、液晶ディスプレイ等で構成された各種計器類（スピードメータ、タコメータ等）やカーナビゲーション装置が組み込まれている。
【０００３】
一方、ヘッドアップディスプレイと呼ばれ、ウインドシールドにコンバイナを設置することでガラス面上に速度表示等が行われるようにしたものや、ダッシュボード上にディスプレイ装置を設置したものがある。例えば特許文献１には、ダッシュボード上に透過散乱型の液晶表示素子で構成されたディスプレイを設置し、カーナビゲーション装置と連動して車の位置情報を表示する例が開示されている。
【０００４】
特許文献１に開示されているディスプレイは、通常の液晶表示装置とは異なった特別の特徴を有するものであり、電圧非印加時において全体が略透明な状態を呈し、電圧を印加することで表示パタンのみが表示され他の部位は透明なままという特徴がある。また、このディスプレイはメモリ性を有し、電圧の印加をやめても表示状態が保持される。したがって、ダッシュボードの上に設置されたり、ウインドシールドに貼付されたりしても、表示パタン以外の部位が透明であるため搭乗者の視界を妨げることがなく、設置場所の制約が少ないという利点がある。
【０００５】
【特許文献１】特開２００４−１６３８３７号公報（図１１）
【発明の開示】
【発明が解決しようとする課題】
【０００６】
しかしながら、特許文献１に開示された技術では、表示パタンが搭乗者に視認しづらいという問題がある。すなわち、表示パタン以外の部位が透明であることから、その透明な部位を介して車外の風景が見えるため、背景によっては表示パタンが見づらくなることがある。
【０００７】
このような課題を解決するため本発明は、窓ガラス等のそばに設置されても、外界の風景に影響されることなく視認性に優れた情報表示装置を提供する。
【課題を解決するための手段】
【０００８】
本発明は、調光領域を備えた透過散乱型の調光装置と、（ａ）非表示状態において略透明と視認され、（ｂ）表示状態において所定の表示部位のみ視認性が向上する表示装置とを備え、前記調光装置における調光領域と前記表示装置における表示部位とが、観察者の視線に対して重畳する位置関係に配置されていることを特徴とする情報表示装置を提供する。
【０００９】
また、本発明の一態様において、前記表示装置は、正面視で表示部位と非表示部位とを有し、（ａ）電圧非印加時に前記表示部位および非表示部位がともに略透明な状態を呈し、（ｂ）電圧印加時に前記表示部位が発光する。また、本発明の一態様において、前記調光装置は、液晶と高分子との複合体によって構成された素子を備えている。
【発明の効果】
【００１０】
本発明は、表示パタンの周辺を不可視の状態にすることができるため、背景に惑わされることがなく、表示パタンの視認性を向上させることができる。
【発明を実施するための最良の形態】
【００１１】
次に、本発明の一つの実施の形態について説明する。
【００１２】
図１（ａ）〜（ｃ）は、本発明の一つの実施の形態を示す平面図および端面図である。
情報表示装置３０は、透過散乱型調光パネル１０と、有機ＥＬパネル２０とで構成されている。
【００１３】
透過散乱型調光パネル１０は、液晶と高分子との複合体からなる素子で構成され、電圧の印加に応じて、入射した光の透過／散乱状態を変えることができる。この実施形態では、電圧非印加時に透明（可視光透過率６０％以上が好ましい）を呈し、電圧印加時に散乱状態となって白色に視認されるものを採用している。
【００１４】
有機ＥＬパネル２０としては、特開２００６−７３６３６号公報に開示されているような電圧非印加時において略透明状態を呈し、電圧印加時においてのみ表示パタンが表示されるものが好ましい。但し、有機ＥＬパネルの代わりに、ガラス基板上に複数の発光ダイオードチップを配設したもの、蛍光表示管、または表示パタン以外の部位が透明となる液晶パネル等を用いることもできる。
【００１５】
ここで同図（ａ）に示すように、パネル１０および２０は図示しない透明樹脂によって貼り合せられ、各パネルは独立して駆動される。例えば同図（ｂ）に示すように、透過散乱型調光パネル１０を一切駆動することなく、有機ＥＬパネル２０のみ駆動し、表示パタン２０ａを表示させることができる。このとき透過散乱型調光パネル１０は、全域にわたって透明な状態を呈しており、観察者には透明基板に表示パタン２０ａのみが表示されているように視認される。また同図（ｃ）に示すように、透過散乱型調光パネル１０に電圧を印加することでその全域が白く視認されるようになり、観察者には白色の背景に表示パタン２０ａが表示されているかのように視認される。
【００１６】
図２は、情報表示装置の一実施形態を示すブロック図である。透過散乱型調光パネル１０は、駆動回路１５によってその駆動が制御される。駆動回路１５は、コントローラ１１と、電源装置１４とを備えている。有機ＥＬパネル２０は、パッシブ型の透明有機ＥＬパネルであり、駆動回路２５によってその駆動が制御される。駆動回路２５は、行ドライバ２２と列ドライバ２３とコントローラ２１と電源装置２４とを備えている。また、コントローラ２６は、コントローラ１１および２１に指示を出すことにより、各パネル１０、２０を駆動するタイミングを調整する。
【００１７】
次に、透過散乱型調光パネル１０と有機ＥＬパネル１０とを貼り合せる手法および構造について説明する。
図３は、透過散乱型調光パネルと有機ＥＬパネルとの接合構造を説明するための断面図である。事前に透過散乱型調光パネル１０と有機ＥＬパネル２０とを用意し、これらをいわゆるＯＤＦ（Ｏｎｅ  Ｄｒｏｐ  Ｆｉｌｌ）法により貼り合せることができる。すなわち、透過散乱型調光パネル１０の周縁部に未硬化のシール材原料を環状に塗布し、その環状内の透過散乱型調光パネル１０の面に透明樹脂材料を適量滴下する。その後、真空チャンバ内の所定の減圧雰囲気下で、透過散乱型調光パネル１０と有機ＥＬパネル２０とを貼り合わせ積層が完了した後、真空チャンバ内に空気を注入してこれらを大気圧に暴露する。その結果、２枚のパネル間に透明樹脂材料４２が隅々まで行き渡り、これらを透明樹脂材料４２によって隙間なく接着することができる。
【００１８】
シール材原料および透明樹脂材料に紫外線硬化性の樹脂を用いた場合は、真空積層した後に、紫外線を照射してこれらを硬化させ、２枚のパネル１０、２０とシール材４１と透明樹脂４２とが一体化した情報表示装置３０が完成する。なお、パネル１０、２０は図３に示すように貼り合せることが好ましいが、透明樹脂等を用いずに互いに重ね合わせただけであってもよい。また、パネル１０、２０が離れていてもよく、その場合各パネル１０、２０の面には反射防止膜が成膜されていることが好ましい。
【００１９】
次に、本発明に係る情報表示装置を適用した例を示す。
図４（ａ）、（ｂ）は、情報表示装置を適用した自動車内の一部を示す斜視図である。自動車１００は、ウインドシールド１０１とルームミラー１０２とインストルメントパネル１０３とステアリングホイール１０４とダッシュボード１０５とカーナビゲーション装置１０６とを備えている。
【００２０】
同図（ａ）に示すように、図２に示した情報表示装置３０は、ダッシュボード１０５の上に図示しない取り付け部材によって固定されている。この時、情報表示装置３０には一切電圧が印加されておらず、そのため全域にわたって透明状態を呈し、情報表示装置３０越しにウインドシールド１０１の先の風景を見ることができ、搭乗者の視認を妨げることはない。
【００２１】
また同図（ｂ）に示すように、情報表示装置３０を駆動し、表示パタンを表示させた場合、図１（ｃ）に示したように透過散乱型調光パネルを駆動させることで表示パタンの周辺が不可視の状態となるため、表示パタンの視認性が向上することが理解される。
【００２２】
次に、透過散乱型調光パネル１０の一形態について説明する。
【００２３】
図５は、透過散乱型調光パネルの一実施形態を示す断面図である。これは特許文献１に開示されているパネルであり、電圧非印加時においても表示状態を保持できるという特徴（メモリ性）がある。また、調光機能だけを実現するのであれば透過散乱型調光パネル１０にはベタ電極が用いられればよいが、ストライプ電極等を用いことにより文字や図形等を表示できるようにしたり、調光させる領域を随時選択できるようにしたりしてもよい。
【００２４】
透過散乱型調光パネル１０は、ガラス基板１Ａおよび１Ｂと、電極２Ａおよび２Ｂと、高分子薄膜３Ａおよび３Ｂと、液晶層４とを備えている。液晶層４としては、フォーカルコニック状態とプレナー状態とを安定的に呈するカイラルネマチック液晶が用いられる。
【００２５】
電極２Ａ、２Ｂのうちの何れか一方は、行電極（コモン電極）であり、他方は列電極（セグメント電極）である。行電極と列電極とは直交する位置関係にある。以下の説明では、電極２Ｂを列電極とし、電極２Ａを行電極とする。但し、電極２Ａ、２Ｂとしてベタ電極を用いてもよい。
【００２６】
高分子薄膜３Ａ、３Ｂとしては、プレチルト角が６０°以上の樹脂膜が用いられることが好ましい。プレチルト角とは、樹脂膜にネマチック液晶が接した際に、その接触面に対する液晶分子の配向角度を意味し、その場合液晶分子が接触面に平行な場合を０°とする。プレチルト角が６０°以上となる樹脂膜としては、ガラス転移温度が少なくとも６０℃以上好ましくは１００℃以上である硬化した樹脂（例えばポリイミド）が用いられる。また、高分子薄膜３Ａおよび３Ｂの両方または一方は、ラビング処理されることが好ましい。液晶材料としては、誘電異方性が正のものが用いられる。
【００２７】
また、電極２Ａと高分子薄膜３Ａとの間、および／または電極２Ｂと高分子薄膜３Ｂとの間に、金属酸化物等からなる電気絶縁層が設けられることが好ましい。これにより、プレナー状態における透過散乱型調光パネル１０の透明度をさらに高めることができ、また透過状態と散乱状態とのコントラスト比を高めることができる。また、プレチルト角を８０度以上とした場合、液晶分子の配列状態を安定化できるという利点がある。
【００２８】
ラビング処理が施されかつプレチルト角が６０°以上の樹脂膜を、少なくとも片側の液晶との界面に使用することにより、斜めから入射する光に対しても充分な透明性を示すことができる。ラビング処理が施されずかつプレチルト角が６０°以上の樹脂膜を、両側の液晶との界面に設けてもよい。また、プレチルト角が６０°以上の樹脂膜を液晶との界面の両側に設け、その片側のみにラビング処理を施してもよい。
【００２９】
電極２Ａと２Ｂとの距離は、液晶層４内に分散させられたスペーサの大きさによって調整される。球状のスペーサの場合、その直径が２〜１５μｍが好ましく、３〜６μｍがさらに好ましい。電極間の距離が短過ぎると、表示のコントラスト比が低下してしまう。長過ぎると、駆動電圧が上昇し、またプレナー状態における液晶配向に乱れが生じて透明性が損なわれることがある。
【００３０】
表示の態様は、例えばドット・マトリックス表示である。コモン電極を走査する表示態様であれば、セグメント表示などの非フルドット・マトリックス表示であってもよい。基板は、透明度の高い基板が用いられることが好ましく、例えばガラス基板または樹脂基板の何れであってもよい。また、ガラス基板と樹脂基板とを組み合わせて用いてもよい。用途に応じて、無色透明または有色透明の基板を使い分けることができる。
【００３１】
電極面内に微量のスペーサーを散布し、対向させた基板の四辺を注入孔を除いてエポキシ樹脂等のシール材で封止し空セルを形成する。真空注入法によって液晶組成物を空セル内に満たす。このとき、シール材として硬化後に透明なシール材を用いると表示体を透明とした際に、情報表示体の周辺部に至るまで、透明性を呈することができるのでさらに好ましい。
【００３２】
図５には図示していないが、基板１Ａ、１Ｂの周縁に沿ってシール材が設けられている。図４（ａ）に示したように、電圧非印加時において全域が透明であることが好ましいため、シール材としては透明なものを用いることが好ましい。硬化後に透明なシール材としては、エポキシ系、アクリル系、ウレタン系、エン−チオール系またはそれらの混合系などが例示される。シール材は、熱硬化性または光硬化性のものが用いられる。
【００３３】
図６は、透過散乱型調光パネルの一実施形態を示す説明図である。駆動回路１５は、２つの行ドライバ１２Ｌ、１２Ｒと、列ドライバ１３と、コントローラ１１と、電源装置１４とを備えている。コントローラ１１は、行ドライバ１２Ｌ、１２Ｒに、行電極への電圧パルス入力を指示し、列ドライバ１３に列電極への電圧パルス入力を指示する。液晶電源装置１４は、行ドライバ１２Ｌ、１２Ｒおよび列ドライバ１３に必要な電圧を供給する。
【００３４】
また、透過散乱型調光パネル１０はその全体形状がほぼ矩形をなしており、その一辺（図面上の下部）を接続辺とし、駆動回路１５と液晶光学素子１０の電極との接続が取られている。また、パネル１０の下辺はダッシュボード１０５の表面に図示しない取り付け具によって固定されている。透過散乱型調光パネル１０のその他の三辺はむき出しの状態にあり、電圧非印加時においては透過散乱型調光パネル１０の全域が透明を呈する。
【００３５】
端部を含む周辺部を透明にするには、表示領域の電極への引き回し配線を細線化し、その本数を約２０本以内に設定することによって、実質的に目に見えない状態を作ることができる。または、配線引き回しを行う周辺領域１０ｂ、１０ｃ、１０ｄの内面に低プレチルト膜を設け、表示部と同様にラビング処理を行う。すると、液晶層を安定したプレナー状態に置くことができる。このようなセル構造によって、表示領域ではなく、電圧で駆動されることのない周辺部を常時透明にすることができる。
【００３６】
この透過散乱型調光パネル１０では、行電極の引き回しを表示面の左右で交互に振り分けて引き出している。左右の辺の端部（約１〜２ｃｍ）に行電極の引き出し配線が配置されている。このようにして、表示面の上方向、左右方向の三辺が実質的に透明であるようにしている。行電極の引き出しは、一本ずつ交互に引き出し、全体の電極抵抗がバランスするようにした。
【００３７】
行ドライバ１２Ｌ、１２Ｒおよび列ドライバ１３は、コントローラ１１の指示に従い、液晶表示素子の行電極２Ａおよび列電極２Ｂに電圧パルスを入力する。コントローラ１１は、各電極の電位を切り替えて、液晶層４をプレナー状態やフォーカルコニック状態に移行させる。以下、プレナー状態の透明状態をオン表示、フォーカルコニック状態の光散乱状態示をオフ表示と記す。
【００３８】
次に、図５の透過散乱型調光パネル１０の表示を書き換えるときの動作について説明する。まず、駆動回路１５は、行電極２Ａを１本ずつ選択しながら線順次走査し、各画素に配置された液晶層４をプレナー状態に移行させるための電圧（オン表示とするための電圧）を印加する。この電圧が印加されると液晶層４はホメオトロピック状態になる。
【００３９】
そして、電圧印加が終了すると液晶層４はプレナー状態に移行し、オン表示（透明状態）となる。行電極２Ａを走査しながら全画素をオン表示にするので、これまで透過状態と散乱状態とで表示されていた画面が消去される。
【００４０】
駆動回路１５は、全ての行電極２Ａを一本ずつ選択する行電極２Ａの走査を少なくとも１回行い、画面全体をオン表示の透明状態にする。また、オン表示の電圧信号が入力された後、透明表示体が透明状態を呈するには、その液晶配列の変化に時間を要する場合もあるが、その場合であっても引き続く電圧走査を同様に行ってもよい。
【００４１】
続いて、駆動回路１５は、行電極２Ａを線順次走査して、表示データに対応する電圧を印加する。この結果、所望の表示が書き込まれ、表示の書き換えが完了する。透明表示体駆動装置は、行電極２Ａの走査を少なくとも１回行って、表示データを書き込む。また、行電極２Ａの走査を２回行うと、表示のコントラスト比を改善できるため、さらに好ましい。
【００４２】
また先のオン電圧の走査による画面消去の工程での行選択時間をＡｔ、次の表示書き込み時の行選択時間をＢｔとした時、Ａｔ＞Ｂｔ・１．５とするとさらに高いコントラスト比を得ることができ、また充分なコントラスト比が得られる印加電圧の範囲を広くとることができるので好ましい。
【００４３】
次に、液晶層３２に好適な光硬化性樹脂について説明する。液晶層３２は、少なくとも次の化学式（１）で示される二官能重合性化合物（Ａ）の一種以上と、化学式（２）で示される二官能重合性化合物（Ｂ）の一種以上と、非重合性の前記液晶とを含むことが好ましい。
【００４４】
【化１】
2008122590.tif 000003
【００４５】
【化２】
2008122590.tif 000004
【００４６】
二官能重合性化合物（Ａ）は、樹脂中で、剛直性を有する主骨格成分を形成する。一方、二官能重合性化合物（Ｂ）は、樹脂中で、衝撃吸収の役割を果たすことができる柔軟成分を形成する。このような異なる物性の化合物を組み合わせることにより、液晶光学素子１０に好適な液晶／硬化物の複合体層が得られる。もちろん硬化物を形成する樹脂はこれに限定されるものではない。
【００４７】
ここで、二官能重合性化合物（Ａ）について説明する。二官能重合性化合物（Ａ）は化学式（１）を満たす化合物であれば、特に限定されない。
【００４８】
また、化学式（１）で表される二官能重合性化合物（Ａ）は、下記条件を満たす化合物であることが好ましい。
【００４９】
Ａ１、Ａ２は、それぞれ独立に、アクリロイルオキシ基、メタクリロイルオキシ基またはビニルエーテル基である。
Ｑ１、Ｑ２、Ｑ３、Ｑ４は、それぞれ独立に、置換基を有していてもよい１，４−フェニレン基または１，４−シクロヘキシレン基である。
Ｘ１、Ｘ２は、それぞれ独立に、単結合、酸素原子またはエステル結合である。
Ｒ１、Ｒ２は、それぞれ独立に、単結合または炭素原子間に一個または複数個のエーテル性酸素原子を有していてもよい直鎖または分枝状炭素数２〜２０のアルキレン基である。
【００５０】
Ｚ１、Ｚ２、Ｚ３は、それぞれ独立に、単結合、−Ｃ（＝Ｏ）−Ｏ−、−Ｏ−Ｃ（＝Ｏ）−、−ＣＨ２−ＣＨ２−、−Ｃ≡Ｃ−、−ＣＨ２−Ｏ−、−Ｏ−ＣＨ２−である。
ｐ、ｑは、いずれも０であるかまたは一方が０で他方が１である。
【００５１】
また、化学式（１）で表される二官能重合性化合物（Ａ）は、下記条件を満たす化合物であることが好ましい。
Ａ１、Ａ２は、それぞれ独立に、アクリロイルオキシ基またはメタクリロイルオキシ基である。
Ｑ１、Ｑ２は、いずれも置換基を有していてもよい１，４−フェニレン基であり、Ｑ３、Ｑ４が、それぞれ独立に、置換基を有していてもよい１，４−フェニレン基または１，４−シクロヘキシレン基である。
Ｚ１、Ｚ２、Ｚ３は、それぞれ独立に、単結合、−Ｃ（＝Ｏ）−Ｏ−、−Ｏ−Ｃ（＝Ｏ）−、−ＣＨ２−ＣＨ２−または−Ｃ≡Ｃ−である。
ｐ、ｑは、いずれも０であるかまたは一方が０で他方が１である。
【００５２】
また、化学式（１）で表される二官能重合性化合物（Ａ）が下記条件を満たす化合物であることが好ましい。
Ａ１、Ａ２は、いずれもアクリロイルオキシ基である。
Ｑ１、Ｑ２は、いずれも置換基を有していてもよい１，４−フェニレン基であり、Ｑ３、Ｑ４は、それぞれ独立に、置換基を有していてもよい１，４−フェニレン基または１，４−シクロヘキシレン基である。
Ｒ１、Ｒ２は、それぞれ独立に、直鎖または分枝状炭素数２〜２０のアルキレン基である。
【００５３】
Ｚ１は、単結合、−Ｃ（＝Ｏ）−Ｏ−、−Ｏ−Ｃ（＝Ｏ）−、−ＣＨ２−ＣＨ２−または−Ｃ≡Ｃ−であり、Ｚ２、Ｚ３がいずれも単結合である。
ｐ、ｑは、いずれも０であるかまたは一方が０で他方が１である。
【００５４】
液晶層３２ａを形成するための前記二官能重合性化合物（Ａ）の具体例としては、下記化学式（３）の化合物が例示される。
【００５５】
【化３】
2008122590.tif 000005
【００５６】
二官能重合性化合物（Ａ）は、その性質から液晶性を有する化合物と液晶性を有しない化合物に分けられる。液晶性を有する二官能重合性化合物（Ａ）を混合物の一成分として用いることができる。つまり、液晶性を有しない二官能重合性化合物（Ａ）のみを用いる場合以外に、液晶性を有しない二官能重合性化合物（Ａ）と液晶性を有する二官能重合性化合物（Ａ）を組み合わせて用いることもでき、液晶性を有する二官能重合性化合物（Ａ）を単独で用いることもできる。
【００５７】
次に、二官能重合性化合物（Ｂ）について説明する。二官能重合性化合物（Ｂ）は、化学式（２）を満たすものであれば、特に限定されない。例えば、下記条件を満たす化合物である。
【００５８】
Ａ３、Ａ４は、それぞれ独立に、アクリロイルオキシ基、メタクリロイルオキシ基またはビニルエーテル基である。
Ｒ３は、−Ｒ４−または−（Ｒ５−Ｏ）ｎ−Ｒ５−である。
ただし、Ｒ４は炭素数２〜２０の直鎖または分枝状アルキレン基であり、Ｒ５は炭素数２〜８の直鎖または分枝状アルキレン基であり、ｎは１〜１０の整数である、またはＲ４は炭素数２〜２０の直鎖アルキレン基であり、Ｒ５は−（ＣＨ2）ｒ−、−ＣＨ２−ＣＨ（ＣＨ3）−、−ＣＨ２−ＣＨ２−ＣＨ（ＣＨ3）−または−ＣＨ２−ＣＨ２−Ｃ（ＣＨ3）２−であり（ただし、ｒは２〜５の整数）、ｎが１〜６の整数である、化合物である。
【００５９】
二官能重合性化合物（Ｂ）は、単独で用いてもよく、２種類以上組み合わせて用いてもよい。下記化学式（４）に具体例を示す。
【００６０】
【化４】
2008122590.tif 000006
【００６１】
二官能重合性化合物（Ｂ）は重合性基Ａ３，Ａ４を有し、重合性基間を連結するＲ３を有する。Ｒ３としては原子間に単結合を有し分子内回転の自由度の高い基を選択する。このように構成することで、重合された高分子の柔軟性を向上させることができる。また、重合相分離の反応性を高めることもできる。
【００６２】
Ａ３，Ａ４間の炭素原子数、エーテル性酸素原子数が多いほど、柔軟性は向上する。一方、液晶との相溶性は原子数が多いほど低下する。そのため、原子数を適切に選択する。
また、ＯＤＦ法を採用する場合、揮発性を考慮して、炭素原子数は８以上、好ましくは１１以上とする。エーテル性酸素原子は含まれていても含まれていなくてもよい。エーテル性酸素原子を含んでいる場合は、高分子の柔軟性が向上するので、好ましい。
【００６３】
化学式（Ｂ）の化合物は分子内にＱ１のような基を含まないためＲ３に含まれる炭素原子数を増やすことが比較的容易である。この構造の採用により、高分子の柔軟性が大きく向上する。
【００６４】
重合性モノマーを重合させるためには、重合開始剤を用いることが好ましい。このような重合開始剤としては、公知の重合触媒から適宜選択できる。例えば、光重合相分離法を用いる場合、ベンゾインエーテル系、アセトフェノン系、フォスフィンオキサイド系などの一般的な光重合開始剤を用いることができる。
【００６５】
さらに、コントラスト比や安定性の向上を目的として、種々の化合物を添加することもできる。例えば、コントラストの向上を目的として、アントラキノン系、スチリル系、アゾメチン系、アゾ系等の各種二色性色素を用いることができる。その場合、二色性色素は、基本的に液晶化合物と相溶し、硬化性化合物とは不相溶であることが好ましい。この他に、酸化防止剤、紫外線吸収剤、各種可塑剤の添加も、安定性や耐久性向上の点から好ましい。
【産業上の利用可能性】
【００６６】
以上説明したとおり本発明は、自動車等の移動体の搭乗室内に設置された情報表示装置に好適である。また、本発明は、自動車以外の移動体である鉄道車両、航空機、船舶等、または建築物の窓およびその周辺に設置できることは明らかである。
【図面の簡単な説明】
【００６７】
【図１】（ａ）〜（ｃ）本発明の一つの実施の形態を示す平面図および端面図である。
【図２】情報表示装置の一実施形態を示すブロック図である。
【図３】透過散乱型調光パネルと有機ＥＬパネルとの接合構造を説明するための断面図である。
【図４】（ａ）、（ｂ）情報表示装置を適用した自動車内の一部を示す斜視図である。
【図５】透過散乱型調光パネルの一実施形態を示す断面図である。
【図６】透過散乱型調光パネルの一実施形態を示す説明図である。
【符号の説明】
【００６８】
１０：液晶パネル
１１：コントローラ
１２：行ドライバ
１３：列ドライバ
１４：電源装置
１５：駆動回路
２０：有機ＥＬパネル
２０ａ：表示パタン
２１：コントローラ
２２：行ドライバ
２３：列ドライバ
２４：電源装置
３０：表示装置
４１：シール材
４２：透明樹脂
１００：自動車
１０１：ウインドシールド
１０２：ルームミラー
１０３：インストルメントパネル
１０４：ステアリングホイール
１０５：ダッシュボード
１０６：カーナビゲーション装置
【図１】
2008122590.tif 000007
【図２】
2008122590.tif 000008
【図３】
2008122590.tif 000009
【図４】
2008122590.tif 000010
【図５】
2008122590.tif 000011
【図６】
2008122590.tif 000012